(57)【要約】【課題】保温機能や引締め機能を有すると共に、脚部の急所を適切に刺激することができる加圧式スパッツを提供する。【解決手段】人体の下肢に装着する加圧式スパッツ１であって、伸縮性を有する素材で構成されたスパッツ本体２と、前記スパッツ本体２の骨盤の位置で伸縮する第１伸縮部３と、前記スパッツ本体２の大腿部の位置に、大腿部を周回するように相互に離間して設けられた複数の第２伸縮部５ａと、前記スパッツ本体２の下腿部の位置に、下腿部を周回するように相互に離間して設けられた複数の第３伸縮部５ｂと、を備える。各第２伸縮部５ａは、大腿部の背面で開口する円弧状に設けられており、各第３伸縮部５ｂは、下腿部の脛側で開口する円弧状に設けられている。【選択図】図１
2019131933.tif 000002
【特許請求の範囲】
【請求項１】
人体の下肢に装着する加圧式スパッツであって、
伸縮性を有する素材で構成されたスパッツ本体と、
前記スパッツ本体の骨盤の位置で伸縮する第１伸縮部と、
前記スパッツ本体の大腿部の位置に、大腿部を周回するように相互に離間して設けられた複数の第２伸縮部と、
前記スパッツ本体の下腿部の位置に、下腿部を周回するように相互に離間して設けられた複数の第３伸縮部と、を備えることを特徴とする加圧式スパッツ。
【請求項２】
前記各第２伸縮部は、大腿部の背面で開口する円弧状に設けられており、前記各第３伸縮部は、下腿部の脛側で開口する円弧状に設けられていることを特徴とする請求項１記載の加圧式スパッツ。
【発明の詳細な説明】
【技術分野】
【０００１】
本発明は、人体の下肢に装着する加圧式スパッツに関する。
【背景技術】
【０００２】
従来から、下半身の保温を目的として、伸縮性に優れた生地で構成されたスパッツやタイツが提案されている。このようなスパッツやタイツでは、体型を維持したり、テーピング機能やサポート機能を有し、特定の部位をサポートしたり、制動したりすることができるものがある。例えば、特許文献１に開示されているスパッツは、腰部にかかる緊迫力と、ヒップなどの腹部以外の箇所にかかる緊迫力とを連動させることで、相乗的に体型補正機能を向上させている。また、特許文献２に開示されているタイツは、よりハードなスポーツテーピング作用を発揮するように構成されている。
【先行技術文献】
【特許文献】
【０００３】
【特許文献１】特開２００４−３３９６２３号公報
【特許文献２】特開平１１−１２８１４号公報
【発明の概要】
【発明が解決しようとする課題】
【０００４】
しかしながら、従来から提供されているスパッツやタイツでは、保温機能やサポート機能を備えていても、人体の急所のうち、脚部における急所（いわゆる「脚つぼ」）に対して、適切な刺激を与えることは考慮されていない。
【０００５】
本発明は、このような事情に鑑みてなされたものであり、保温機能や引締め機能を有すると共に、脚部の急所を適切に刺激することができる加圧式スパッツを提供することを目的とする。
【発明の開示】
【課題を解決するための手段】
【０００６】
上記の目的を達成するために、本発明は、以下のような手段を講じた。すなわち、本発明の加圧式スパッツは、人体の下肢に装着する加圧式スパッツであって、伸縮性を有する素材で構成されたスパッツ本体と、前記スパッツ本体の骨盤の位置で伸縮する第１伸縮部と、前記スパッツ本体の大腿部の位置に、大腿部を周回するように相互に離間して設けられた複数の第２伸縮部と、前記スパッツ本体の下腿部の位置に、下腿部を周回するように相互に離間して設けられた複数の第３伸縮部と、を備えることを特徴とする。
【０００７】
この構成により、第２伸縮部によって大腿部において筋肉の多いに部位に引締め力が加えられ、テーピングと同様の機能を発揮することが可能となる。また、第３伸縮部によって、下腿部において筋肉の多いに部位（ふくらはぎ）に引締め力が加えられ、テーピングと同様の機能を発揮することが可能となる。さらに、脚の急所（脚つぼ）を適切に刺激することが可能となる。これにより、血流が良くなり、冷え症の改善が見込まれる。
【０００８】
また、本発明の加圧式スパッツにおいて、前記各第２伸縮部は、大腿部の背面で開口する円弧状に設けられており、前記各第３伸縮部は、下腿部の脛側で開口する円弧状に設けられていることを特徴とする。
【０００９】
この構成により、脚の筋肉の多い部位に対してテーピング効果を与えることが可能となる。
【発明の効果】
【００１０】
本発明によれば、人体の下肢を温め、引き締めると共に、脚部の急所を適切に刺激することが可能となる。
【図面の簡単な説明】
【００１１】
【図１】本実施形態に係る加圧式スパッツを正面から表した図である。
【図２】本実施形態に係る加圧式スパッツを背面から表した図である。
【図３】本実施形態に係る加圧式スパッツ１の着用例を示す図である。
【発明を実施するための形態】
【００１２】
［構成］
以下、本発明の実施形態について図面を参照して説明する。図１は、本実施形態に係る加圧式スパッツを正面から表した図であり、図２は、本実施形態に係る加圧式スパッツを背面から表した図である。本実施形態に係る加圧式スパッツ１において、スパッツ本体２は、ナイロンおよびポリウレタンから形成され、伸縮性を有する。スパッツ本体２の骨盤の位置には、骨盤を引き締めて位置を補正する目的で、伸縮機能を有する第１伸縮部３が設けられている。第１伸縮部３は、骨盤の前面から背面に延伸し、臀部を包囲するように設けられている。
【００１３】
また、スパッツ本体２の大腿部の位置に、大腿部を周回するように相互に離間して設けられた複数の第２伸縮部５ａが設けられている。本明細書では、左右の大腿部にそれぞれ５つの第２伸縮部５ａが設けられた構成を示しているが、本発明は、これに限定されるわけではない。また、各第２伸縮部５ａは、大腿部の前面から背面に亘って設けられており、大腿部の背面で開口する円弧状を有する。これにより、大腿部において筋肉の多いに部位に引締め力が加えられ、テーピングと同様の機能を発揮することが可能となる。なお、各第２伸縮部５ａは、大腿部の前面において、Ｖ字状の形状を与えられている。これにより、筋繊維に沿った引き締め効果を得ると共に、生産時の加工性が向上し、外観を美しく仕上げることが可能となる。
【００１４】
また、スパッツ本体２の下腿部の位置に、下腿部を周回するように相互に離間して設けられた複数の第３伸縮部５ｂが設けられている。本明細書では、左右の下腿部にそれぞれ５つの第３伸縮部５ｂが設けられた構成を示しているが、本発明は、これに限定されるわけではない。また、各第３伸縮部５ｂは、下腿部の背面（つまり、ふくらはぎ）から前面（つまり、脛）に亘って設けられており、下腿部の前面で開口する円弧状を有する。これにより、下腿部において筋肉の多いに部位（ふくらはぎ）に引締め力が加えられ、テーピングと同様の機能を発揮することが可能となる。なお、各第３伸縮部５ｂは、下腿部の背面において、逆Ｖ字状の形状を与えられている。これにより、筋繊維に沿った引き締め効果を得ると共に、生産時の加工性が向上し、外観を美しく仕上げることが可能となる。
【００１５】
下腿には、複数の急所（脚つぼ）が存在する。具体的には、伏兎（ふくと）、承筋（しょうきん）、三陰交（さんいんこう）、草靡（そうび）、陽輔（ようほ）などである。本実施形態に係る加圧式スパッツ１は、５つの第２伸縮部５ａ、および５つの第３伸縮部５ｂが設けられているため、装着するだけで、これらの急所（脚つぼ）を適切に刺激することが可能となる。これにより、血流が良くなり、冷え症の改善が見込まれる。
【００１６】
なお、スパッツ本体２には、ゲルマニウム、銀、チタンなどを配合したり、塗布したりすることも可能である。これにより、血流向上効果がさらに高められる。
【００１７】
［使用例］
本実施形態に係る加圧式スパッツ１は、タイツやストッキングと同様に着用することができる。ウエスト部分を外側へ巻回させ、脚を通す。次に、股部分の位置を決めた上で、巻回させていたウエスト部分を引き上げる。その際、両手で左右同時に引き上げると良い。最後に、スパッツ本体２のたるみ、しわ、歪を整えることで正しく着用することが可能となる。
【００１８】
図３は、本実施形態に係る加圧式スパッツ１の着用例を示す図である。この加圧式スパッツ１によれば、脚が引き締められると共に、骨盤を補正することができる。また、筋肉の多い大腿部やふくらはぎのそれぞれ５か所に伸縮部が設けられているため、テーピングと同様な効果を得ることができ、さらに、脚の急所である兎（ふくと）、承筋（しょうきん）、三陰交（さんいんこう）、草靡（そうび）、陽輔（ようほ）などを適切の刺激することが可能である。
【００１９】
本実施形態に係る加圧式スパッツ１によれば、人体の下肢を温め、引き締めると共に、脚部の急所を適切に刺激することが可能となる。
【符号の説明】
【００２０】
１  加圧式スパッツ
２  スパッツ本体
３  第１伸縮部
５ａ  第２伸縮部
５ｂ  第３伸縮部
【図１】
2019131933.tif 000003
【図２】
2019131933.tif 000004
【図３】
2019131933.tif 000005